(57)【要約】【課題】  障子を確実に開くことができる窓開閉装置を提供する。【解決手段】  建物外壁に配置した窓枠３内に、障子４を建物の内外方向に揺動可能な状態で支持している。障子４は、バランサー８によって建物外部側に付勢されている。障子４の框６や窓枠３の周縁に沿って止水部材１０を配置してある。障子４を全閉状態にしたときに止水部材１０が框６または窓枠３に密着することで、その止水部材１０によって框６と窓枠３との間を塞ぐようになっている。障子４を全閉状態でロックするロック機構２７を有している。ロック機構２７はロックを解除可能になっており、ロック機構２７がロックを解除した際に、障子４を建物外部側に押し出す初動操作部４３を設けてある。【選択図】  図１
2011196086.tif 000002
【特許請求の範囲】
【請求項１】
建物外壁に配置した窓枠（３）内に、障子（４）を建物の内外方向に揺動可能な状態で支持しており、
その障子（４）は、付勢手段（８）によって建物外部側または建物内部側に付勢されており、
障子（４）の框（６）または窓枠（３）の周縁に沿って止水部材（１０）を配置して、障子（４）を全閉状態にしたときに止水部材（１０）が框（６）または窓枠（３）に密着することで、その止水部材（１０）によって框（６）と窓枠（３）との間を塞ぐようにしており、
障子（４）を全閉状態でロックするロック機構（２７）を有しており、
そのロック機構（２７）は前記ロックを解除可能になっており、ロック機構（２７）がロックを解除した際に、障子（４）を建物外部側に押し出す初動操作部（４３）を設けたことを特徴とする窓開閉装置。
【請求項２】
前記ロック機構（２７）は、障子（４）に取り付けた係止片（２８）を係止するためのロック部材（２９）と、そのロック部材（２９）を駆動する駆動部（３０）とを有しており、
ロック部材（２９）に連動して移動する当接部（５５）を設けており、
前記初動操作部（４３）は、当接部（５５）の当接に伴って作動することで障子（４）を建物外部側に押すようになっていることを特徴とする請求項１記載の窓開閉装置。
【請求項３】
前記ロック部材（２９）と前記当接部（５５）とは、連結機構（３１）によって連動可能に接続されていて、ロック部材（２９）が係止片（２８）から外れたときに当接部（５５）が前記初動操作部（４３）に当接するように連結機構（３１）に配置されていることを特徴とする請求項２記載の窓開閉装置。
【発明の詳細な説明】
【技術分野】
【０００１】
本発明は、換気や排煙を行うために窓を開閉する窓開閉装置に関するものである。
【背景技術】
【０００２】
ビルなどの建物においては、例えば特許文献１に示すように、上下中間部を軸に揺動可能な障子で窓を開閉する、いわゆる横軸回転窓を建物外壁の高所に設置し、その障子をモータなどからなる電動装置によって開閉駆動して換気や排煙を行うものがある。
【０００３】
具体的には、前記横軸回転窓では、方形状に枠組みされた窓枠内に、前記障子が回転自在に装着されており、その障子は、方形状に枠組みされた框の内方に板ガラスが装着されている。そして、障子の框や窓枠の周縁に沿って合成ゴムなどからなる止水部材を配置し、窓を全閉したときには、前記止水部材が障子の框や窓枠に密着することで、その窓枠と框との間を塞いで、雨水などが建物内部に浸入することを阻止するようになっている。
【先行技術文献】
【特許文献】
【０００４】
【特許文献１】特開平１０−１０２９３２号公報
【発明の概要】
【発明が解決しようとする課題】
【０００５】
前記窓にあっては空気中のダストや風雨などに晒されるために、そのダストなどが止水部材と窓枠の間や、止水部材と障子の框との間などに侵入し易い。その場合、ダストなどによって止水部材と窓枠や障子の框とが付着して、障子が開け難くなるといった問題点があった。
【０００６】
本発明は、かかる不都合を解決することを目的として提供されたものであり、障子を確実に開くことができる窓開閉装置を提供することにある。
【課題を解決するための手段】
【０００７】
本発明は、かかる不都合を解決するために、建物外壁に配置した窓枠３内に、障子４を建物の内外方向に揺動可能な状態で支持しており、その障子４は、付勢手段８によって建物外部側または建物内部側に付勢されており、障子４の框６または窓枠３の周縁に沿って止水部材１０を配置して、障子４を全閉状態にしたときに止水部材１０が框６または窓枠３に密着することで、その止水部材１０によって框６と窓枠３との間を塞ぐようにしており、障子４を全閉状態でロックするロック機構２７を有しており、そのロック機構２７はロックを解除可能になっており、ロック機構２７がロックを解除した際に、障子４を建物外部側に押し出す初動操作部４３を設けたことを特徴とするものである。ここでは、障子４の全体が建物外部側または建物内部側に揺動する場合や、ヒンジを軸に障子４の下部が建物外部側へ、障子４の上部が建物内部側へ揺動する場合や、ヒンジを軸に障子４の上部が建物外部側へ、障子４の下部が建物内部側へ揺動する場合などが該当する。また、付勢手段８としては、例えばバランサーの重量を用いたものやバネを用いたものが該当する。
【０００８】
ロック機構２７は、障子４に取り付けた係止片２８を係止するためのロック部材２９と、ロック部材２９を駆動する駆動部３０とを有しており、またロック部材２９に連動して移動する当接部５５を設けており、初動操作部４３は、当接部５５の当接に伴って作動することで障子４を建物外部側に押すようになっているものとすることができる。ここでの駆動部３０は、電動シリンダーやモータなどのアクチュエーターが該当する。
【０００９】
ロック部材２９と当接部５５とは、連結機構３１によって連動可能に接続されていて、ロック部材２９が係止片２８から外れたときに当接部５５が初動操作部４３に当接するように連結機構３１に配置されているものとすることができる。
【発明の効果】
【００１０】
本発明の窓開閉装置は、障子４を全閉状態でロックするロック機構２７がそのロックを解除した際に、初動操作部４３が障子４を建物外部側に押し出すので、汚れなどによって止水部材１０が窓枠３または框６に付着した状態になっていても、その止水部材１０と窓枠３または框６とを確実に引き離して、障子４を開くことができる。
【００１１】
ロック部材２９に連動して当接部５５が移動して、初動操作部４３に当接することに伴って、初動操作部４３が障子４を建物外部側に押すようになっていると、ロック機構２７によるロック解除後に、障子４を直ちに揺動させることができて、障子４を迅速に開くことができる。
【００１２】
ロック部材２９が係止片２８から外れたときに、当接部５５が初動操作部４３に当接するように連結機構３１に配置されていると、初動操作部４３が障子４を押すタイミングをロック解除のタイミングに的確に合わせることができる。これにより、例えばロック解除のタイミングよりも、初動操作部４３が障子４を押すタイミングが早いために窓枠３と框６とを分離させることができないといったことを確実に防止することができる。
【図面の簡単な説明】
【００１３】
【図１】本発明に係る窓開閉装置の正面図である。
【図２】本発明に係る窓開閉操作部の正面図である。
【図３】窓開閉操作部の側面図である。
【図４】窓開閉装置の縦断側面図である。
【図５】窓開閉装置の要部を示す横断平面図である。
【図６】本発明に係るロック部材を示す平面図である。
【図７】本発明に係る連結機構の要部を示す正面図である。
【図８】本発明に係る初動操作部の平面図である。
【図９】初動操作部の正面図である。
【図１０】初動操作部の動作を説明するための平面図である。
【図１１】窓開閉装置の動作を説明するための縦断側面図である。
【図１２】窓開閉装置の動作を説明するための縦断側面図である。
【発明を実施するための形態】
【００１４】
本発明に係る窓開閉装置を横軸回動窓に適用した実施例を図面に基づいて説明する。横軸回動窓は、図１に示すように、窓部２を左右方向に並べた２連１組の連窓として構成しており、例えば、ビルなどの建物の外壁に形成した開口に取り付けるようになっている。
【００１５】
各窓部２は、建物外壁に配置してあって方形状に枠組みした窓枠３内に障子４を左右一対のヒンジ５・５を介して装着している。障子４は、方形状に枠組みした框６の内方に板ガラス７を装着している。各ヒンジ５は、窓枠３の左右の縦枠３ａ・３ａの上下中央よりも上側にそれぞれ配置しており、各障子４は、左右の両ヒンジ５・５を軸に建物の内外方向に揺動自在になっている。
【００１６】
障子４の框６の上框６ａであって、その上框６ａの建物内部側には、図１および図４に示すように、左右横長のバランサー（付勢手段）８を横設しており、障子４は、バランサー８の重量によって当該障子４の上部が建物内部側へ傾くように付勢されている。各窓部２は、左右の両ヒンジ５・５よりも上側では、障子４の框６の建物内部側に合成ゴムなどからなる止水部材１０を当該框６の周縁に沿って設けてあり、左右の両ヒンジ５・５よりも下側では、窓枠３の建物外部側に止水部材１０を当該窓枠３の周縁に沿って設けている（図１２参照）。そして、障子４を全閉状態にしたときに止水部材１０が框６または窓枠３に密着することで、その止水部材１０によって框６と窓枠３との間が塞がれる。
【００１７】
左右の両窓部２・２の間に位置する方立９の建物内部側には、図２および図３に示すように、障子４の揺動を規制するとともにその障子４を閉じ姿勢に駆動するための窓開閉操作部１１を配置している。その窓開閉操作部１１は、方立９の建物内部側に配置している第１アクチュエーター１２と、その第１アクチュエーター１２の軸１２ａに連結している上下動ブラケット１３と、その上下動ブラケット１３に衝撃緩衝具１６を介してそれぞれ支持されている左右一対のアーム１４・１４と、各アーム１４に回動自在に支持される上下一対の合成樹脂製のローラ１５・１５とを有している。両障子４・４は、窓開閉操作部１１によって同時に駆動されるようになっている。
【００１８】
第１アクチュエーター１２は、電動シリンダーなどからなり、その軸１２ａが上下方向に伸縮するようになっている。第１アクチュエーター１２は、その下端を方立９に固定している支持ブラケット１７に揺動可能に支持している。第１アクチュエーター１２の軸１２ａと上下動ブラケット１３とは衝撃緩衝部１８を介して連結してある。衝撃緩衝部１８は、上下動ブラケット１３に固定してあって側面視でＬ字状の連結ブラケット１９と、その連結ブラケット１９の上端部１９ａを挟んで上下に配置している合成ゴム製の緩衝部材２０・２０とを有している。
【００１９】
第１アクチュエーター１２の軸１２ａの先端には連結具２１を揺動可能に連結している。その連結具２１に設けてあって上方に延びる固定軸２１ａが、連結ブラケット１９と両緩衝部材２０・２０とを貫通しており、上側の緩衝部材２０から上方へ突出した固定軸２１ａの上端にナット２２を締め込んで、その固定軸２１ａに両緩衝部材２０・２０を保持している。このように第１アクチュエーター１２の軸１２ａと上下動ブラケット１３との間に両緩衝部材２０・２０を介在させたことで、その両緩衝部材２０・２０によって上下動ブラケット１３から第１アクチュエーター１２の軸１２ａへ衝撃や振動などが伝達されることが緩和される。
【００２０】
上下動ブラケット１３は、方立９に固定されたガイド部材２４に上下移動可能に係合している。詳しくは、ガイド部材２４は方立９に沿って上下方向に延びるように設けており、そのガイド部材２４の左右側面に上下方向に延びる溝２４ａをそれぞれ形成している。上下動ブラケット１３には、ガイド部材２４の溝２４ａ内を転動する複数個の振れ止めローラ２５を設けており、その振れ止めローラ２５によって上下動ブラケット１３がガイド部材２４に沿って上下方向に滑らかに移動することができるようになっている。
【００２１】
各アーム１４は、上下方向の中央部で屈曲していて上部が建物内部側に向けて斜め上方向に延びており、下部が建物内部側に向けて斜め下方向に延びている。その各アーム１４の上下の先端にローラ１５がそれぞれ配置されている。各衝撃緩衝具１６は、アーム１４の屈曲部に固定してあるアーム側固定部１６ａと、上下動ブラケット１３に固定してあるブラケット側固定部１６ｂと、アーム側固定部１６ａとブラケット側固定部１６ｂとの間に介在する合成ゴム製の緩衝部材１６ｃとを有している。緩衝部材１６ｃによってアーム１４から上下動ブラケット１３へ衝撃や振動などが伝達されることが緩和される。
【００２２】
図１および図２に示すように、各障子４の左右の縦框６ｂのうち、方立９側に位置する縦框６ｂには、ヒンジ５と略同一高さ位置において建物内部側に突出する揺動規制具２６をそれぞれ固定している。各揺動規制具２６は、図４に示すように、縦框６ｂに固定している基部２６ａと、その基部２６ａから建物内部側へ延びる規制部２６ｂとを有している。規制部２６ｂは、その先端部が斜め上方向に延びるように屈曲しており、その規制部２６ｂの先端部を、上下から挟むように上下のローラ１５・１５を位置させている。
【００２３】
左右の窓部２の窓枠３の両下枠３ｂ・３ｂに亘って、図１および図５に示すように、障子４を全閉状態でロックするためのロック機構２７を配置している。ロック機構２７は、図５ないし図７に示すように、両窓部２の障子４にそれぞれ取り付けた係止片２８・２８を係止するための左右一対のロック部材２９・２９と、そのロック部材２９・２９を駆動するための第２アクチュエーター（駆動部）３０と、その第２アクチュエーター３０の軸３０ａと左右のロック部材２９・２９とを連結する連結機構３１とを有している。第２アクチュエーター３０は、一方の窓部２（図１の左側）の下枠３ｂの建物内部側に配置してあり、第２アクチュエーター３０の一端部（図１の左側）を一方の窓部２の下枠３ｂに固定している。第２アクチュエーター３０の軸３０ａは、左右方向に伸縮するようになっている。第２アクチュエーター３０は、電動シリンダーなどからなる。
【００２４】
各係止片２８は、各障子４の下框６ｃの下面の左右中央にそれぞれ取り付けてあり、図６に示すように、左右方向に延びてその左右両端部が建物内部側へ屈曲する平面視で台形状に形成されている。各ロック部材２９は、各窓部２の下枠３ｂの上面に配置されていて、平板状の基部２９ａと、その基部２９ａから上方へ延びる円柱形状の係止部２９ｂとからなる。
【００２５】
連結機構３１は、図５ないし図７に示すように、第２アクチュエーター３０の軸３０ａに固定されていて一方の窓部２の下枠３ｂから他方の窓部２の下枠３ｂまで延びている長板形状のスライド板３３と、一方のロック部材２９（図５の左側）の基部２９ａを固定してあって左右方向に延びる長板形状の第１連結棒３４と、他方のロック部材２９（図５の右側）の基部２９ａを固定してあって左右方向に延びる長板形状の第２連結棒３５と、スライド板３３と第１連結棒３４とを連結する第１固定具３６と、スライド板３３と第２連結棒３５とを連結する第２固定具３７とを有している。連結機構３１によって両ロック部材２９・２９が連動するようになっている。
【００２６】
スライド板３３は、一方の窓部２の下枠３ｂから他方の窓部２の下枠３ｂまで左右方向に延びている第１ガイドレール３８に嵌合していて、その第１ガイドレール３８に沿って左右方向へスライド移動可能になっている。第１連結棒３４は、下枠３ｂに沿って左右方向に延びる第２ガイドレール３９に嵌合していて、その第２ガイドレール３９に沿って左右方向へスライド移動可能になっている。第２連結棒３５は、下枠３ｂに沿って左右方向に延びる第３ガイドレール４０に嵌合していて、その第３ガイドレール４０に沿って左右方向へスライド移動可能になっている。
【００２７】
そして、両障子４・４の全閉状態で、第２アクチュエーター３０が駆動されてスライド板３３が図５の左方向に移動することで、左右のロック部材２９・２９がそれぞれ左方向に移動して、各ロック部材２９の係止部２９ｂがそれぞれ全閉状態の両障子４・４の各係止片２８の建物外部側に到達する（図６の実線図の状態）。これにより、各障子４の下部側が建物外部側に揺動することが阻止されるロック状態になる。一方、そのロック状態で、第２アクチュエーター３０が駆動されてスライド板３３が図５の右方向に移動すると、左右のロック部材２９・２９がそれぞれ右方向に移動して、各ロック部材２９の係止部２９ｂがそれぞれ両障子４・４の各係止片２８から離れる（図６の仮想線図の状態）。これにより、ロックが解除されて各障子４を開くことが可能になる。
【００２８】
また、第１固定具３６には、図７に示すように、その上端部の左右両端から斜め下向きにガイド片３６ａ・３６ａが突出しており、一方の窓部２の下枠３ｂに設けた左右一対のリミットスイッチ４２・４２の検出具４２ａ・４２ａが、ガイド片３６ａ・３６ａの上面に接触したのち、第１固定具３６の上端面に導かれるようになっている。そして、左側のリミットスイッチ４２が第１固定具３６の上端面に接触したときには、前述のロック状態になっており、右側のリミットスイッチ４２が第１固定具３６の上端面に接触したときには、前述のロック解除状態になっている。つまり、両リミットスイッチ４２・４２によってロック状態またはロック解除状態であることを検知することができる。
【００２９】
各窓部２の下枠３ｂには、図１および図５に示すように、全閉状態の障子４を開く際に当該障子４の下框６ｃを建物外部側に押すための初動操作部４３をそれぞれ有している。各初動操作部４３は、図８および図９に示すように、下枠３ｂに固定している基部４５と、平面視でＬ字状に屈曲形成されてその屈曲部４６ａを基部４５に揺動可能に支持している押圧部４６と、その押圧部４６の屈曲部４６ａから建物内部側に延びる第１アーム４６ｂに揺動可能に支持している揺動部４７とを有している。押圧部４６は、その屈曲部４６ａから下枠３ｂに沿って左右方向に延びる第２アーム４６ｃの先端にローラ４８を回転自在に支持している。そのローラ４８は水平方向に回転する。
【００３０】
押圧部４６は、その屈曲部４６ａと基部４５との間で掛け渡された第１コイルバネ５０によって図８の時計回りに付勢されており、基部４５に設けたストッパー５１に第２アーム４６ｃが受け止められることで、当該第２アーム４６ｃが下枠３ｂに沿う図８の姿勢に維持される。揺動部４７は、その基部４５側の端部と基部４５との間で掛け渡された第２コイルバネ５２によって図８の反時計回りに付勢されている。また、揺動部４７は、その右側部４７ａが下向きに屈曲しており（図９参照）、その右端部４７ａの基部４５側の端面が基部４５に受け止められて、図８の姿勢で維持される。揺動部４７の左側部４７ｂは、建物内部に向かうに従って右端部４７ａに近づく平面視で傾斜状に切り欠いている。
【００３１】
連結機構３１のスライド板３３の左右には、図５および図７に示すように、初動操作部４３を駆動するための操作具５３を取り付けている。操作具５３は、基部５４ａをスライド板３３に固定していて上端部５４ｂを建物内部側に屈曲している固定部５４と、その固定部５４の上端部５４ｂから上方へ延びる円柱形状の当接部５５とを有している。つまり、当接部５５は、連結機構３１によってロック部材２９に連動して移動する。
【００３２】
そして、両窓部２を開くためにスライド板３３を右方向へ移動させた場合には、操作具５３の当接部５５が初動操作部４３の揺動部４７の左側部４７ｂに当接し（図８の実線図の状態）、そのまま揺動部４７を右方向に押す。すると、押圧部４６が第１コイルバネ５０の付勢力に抗して、図８の反時計回りに揺動し（図８の仮想線図参照）、ローラ４８が障子４の下框６ｃに押し付けられて、その下框６ｃを建物外部側に強制的に押す。次いでスライド板３３の右方向のさらなる移動に伴って、当接部５５が初動操作部４３の揺動部４７から離れる（図８の仮想線図の状態）。それに伴って第１コイルバネ５０の付勢力で押圧部４６が、図８の時計回りに揺動して図８の実線図の姿勢に復帰する。
【００３３】
その後に両窓部２を閉じるためにスライド板３３を左方向へ移動させた場合には、当接部５５が揺動部４７の右端部４７ａに当接し（図１０の実線図の状態）、そのまま揺動部４７を左方向に押す。すると、揺動部４７が、第２コイルバネ５２の付勢力に抗して、図１０の時計回りに揺動する。これにより、揺動部４７が当接部５５の左方向の移動の妨げにならず、当接部５５が所定の復帰位置に戻ることができる。当接部５５が復帰位置に戻ったときには、第２コイルバネ５２の付勢力で揺動部４７が、図１０の反時計回りに揺動して図１０の実線図の姿勢に復帰する。押圧部４６および揺動部４７が復帰することで、障子４が全閉状態になったときに、その障子４に初動操作部４３が接触することが回避される。
【００３４】
このように、両窓部２を開く際には初動操作部４３が障子４の下框６ｃを建物外部側へ押すので、汚れなどによって止水部材１０が窓枠３または框６に付着した状態になっていても、その止水部材１０と窓枠３または框６とを確実に引き離して、障子４を開くことができる。
【００３５】
各窓部２の窓枠３の下端部の左右両端には、図１および図４に示すように、ソフトアブソーバー５７がそれぞれ配置されており、そのソフトアブソーバー５７によって窓部２を閉じる際に障子４の框６が窓部２の窓枠３に激突することを緩和させている。また、図１において、左側の窓部２における左側の縦枠３ａ、および右側の窓部２における右側の縦枠３ａには、揺動する障子４を受け止めて、その障子４の開放角度を規制する規制具５８を設けている。規制具５８は、縦枠３ａから斜め下向きに延びて（図４参照）、その先端部５８ａが窓部２の内方に屈曲して、障子４の框６に臨んでいる。規制具５８の先端部５８ａにおいて框６に臨む上面には、障子４が当たる際の衝撃を緩和するために緩衝部材５９を配置している。
【００３６】
図３において、ガイド部材２４には、上下三箇所にリミットスイッチ６１・６２・６３がそれぞれ配置されており、最上段のリミットスイッチ６１が、上下動ブラケット１３の上端に設けた上側検出子１３ａを検知したときには、アーム１４が、図４に示す全閉位置に上昇しており、中段のリミットスイッチ６２が、上下動ブラケット１３の上側検出子１３ａを検知したときには、アーム１４が、図１１に示す換気位置に下降している。また、最下段のリミットスイッチ６３が、上下動ブラケット１３の下端に設けた下側検出子１３ｂを検知したときには、アーム１４が、図１２に示す全開位置に下降している。
【００３７】
次に、本発明に係る横軸回動窓の動作例について説明する。各窓部２の障子４が、図４の全閉位置にある場合には、各ロック部材２９の係止部２９ｂがそれぞれ全閉状態の両障子４・４の各係止片２８の建物外部側に位置していて、各障子４がロック状態になっている。このとき、窓開閉操作部１１の各アーム１４は最上端に位置している（全閉位置）。
【００３８】
この状態で、例えば操作スイッチ（不図示）によって換気モードに操作されると、第１アクチュエーター１２が駆動されてアーム１４が下降し、そのアーム１４が、図１１に示す換気位置に下降したときに、第１アクチュエーター１２の駆動が停止して各アーム１４が当該換気位置で停止する。次いで、第２アクチュエーター３０が駆動されて、各ロック部材２９の係止部２９ｂが各係止片２８から外れてロック解除状態になる。また、前記ロック解除状態に連動して各当接部５５が移動し、各初動操作部４３のローラ４８が各障子４の下框６ｃを建物外部側へ押す。これにより、窓枠３と框６とが確実に分離して、バランサー８の重量によって各障子４の下部が建物外部側へ、各障子４の上部が建物内部側へ向かうように付勢されて揺動する。つまり、各障子４が開かれる。
【００３９】
その各障子４は、揺動規制具２６の規制部２６ｂが換気位置の各アーム１４の下側のローラ１５で受け止められることで、所定の換気角度で停止する。この状態で強風が各障子４に当たると、それに伴って各障子４は閉じる方向に揺動するが、その揺動は、框６と窓枠３とが止水部材１０を介して当接すること、すなわち各障子４が全閉状態になることで規制される。
【００４０】
具体的には、図１１の換気状態の障子４は、例えば風速３ｍ／s以上の風で全閉方向への揺動を開始する。風が風速３ｍ／sよりも低くなると、バランサー８の重量によって前記換気角度に復帰する。
【００４１】
また、例えば各窓部２の障子４が、前述の図４の全閉位置にある場合に、操作スイッチの操作や煙感知装置の作動によって排煙モードに操作されると、換気モードと同様に、各アーム１４の下降が開始するとともにロック解除状態になる。このときにも各初動操作部４３のローラ４８が各障子４の下框６ｃを建物外部側へ押す。
【００４２】
そして、各アーム１４が図１２の排煙位置（全開位置）に停止することで、各障子４も所定の排煙角度で停止する。その排煙角度は、前記図１１の換気角度よりも大きく開いた角度になっており、これによって各窓部２は大きく開放されて迅速な排煙が行われる。なお、この排煙モードでは、各障子４が規制具５８の緩衝部材５９に受け止められており、強風が各障子４に当たって各障子４が排煙角度よりも開こうとしても、その揺動は規制具５８によって阻止される。
【００４３】
各窓部２の障子４が開いている状態のときに、例えば操作スイッチによって全閉モードに操作されると、第１アクチュエーター１２が駆動されて各アーム１４が上昇する。すると、各障子４の揺動規制具２６の規制部２６ｂが各アーム１４の下側のローラ１５によって押し上げられ、それに伴って各障子４が揺動して図４の全閉状態になる。次いで第２アクチュエーター３０が駆動されて、各ロック部材２９の係止部２９ｂが各窓部２の係止片２８の建物外部側に移動してロック状態になる。これによって各障子４の全閉状態が維持される。
【００４４】
このように、換気角度で開いて停止している各障子４に対して、例えば強風が当たったときには、その風圧で各障子４が揺動して各窓部２を閉じることができる。これによって前記強風が建物内部の室内に流れ込んで当該室内の書類などが吹き飛んだりするなどを防止することができる。また各障子４が揺動することで、建物内部に流れ込む風を適正な風量に調節することができる。加えてロック部材２９が係止片２８から外れたときに、当接部５５が初動操作部４３に当接するように連結機構３１に配置されているので、初動操作部４３が障子４を押すタイミングをロック解除のタイミングに的確に合わせることができる。
【００４５】
なお、初動操作部４３のローラ４８は省略してもよい。その場合、初動操作部４３の押圧部４６の第２アーム４６ｃの先端が障子４の下框６ｃに直接押し付けられることになる。また、例えば換気モードや排煙モードに操作されたときに、先にロックを解除するとともに初動操作部４３のローラ４８で障子４の下框６ｃを建物外部側へ押してからアーム１４を下降させてもよい。
【符号の説明】
【００４６】
３  窓枠
４  障子
６  框
８  バランサー
１０  止水部材
２７  ロック機構
２８  係止片
２９  ロック部材
３１  連結機構
４３  初動操作部
５５  当接部
【図１】
2011196086.tif 000003
【図２】
2011196086.tif 000004
【図３】
2011196086.tif 000005
【図４】
2011196086.tif 000006
【図５】
2011196086.tif 000007
【図６】
2011196086.tif 000008
【図７】
2011196086.tif 000009
【図８】
2011196086.tif 000010
【図９】
2011196086.tif 000011
【図１０】
2011196086.tif 000012
【図１１】
2011196086.tif 000013
【図１２】
2011196086.tif 000014